(57)【要約】      （修正有）【課題】身体の不自由な高齢者や介護されている高齢者や障害者にとって、特に寝たままの状態でも、着脱が容易に可能であり、快適な着用感が得られるおむつカバーを提供する。【解決手段】おむつカバーは、長尺状の布地から成り、当該布地の一端１１を被着者１００の背面腰部位に位置させると共に、当該布地を被着者１００の脚間を通って前面腹部に巻回される他端１２とから形成されるカバー本体１と、カバー本体１の一端１１の両側に配設される係着用の係着紐２と、カバー本体１の他端１２の表側に係着紐２を係止する係止部３とを備える。【選択図】図１
0003201201.tif 000002
【実用新案登録請求の範囲】
【請求項１】
長尺状の布地から成り、当該布地の一端を被着者の背面腰部位に位置させると共に、当該布地を被着者の脚間を通って前面腹部に巻回される他端とから形成されるカバー本体と、
前記カバー本体の前記一端の両側に配設される係着用の係着紐と、
前記カバー本体の前記他端の表側に前記係着紐を係止する係止部と
を備えることを特徴とする
おむつカバー。
【請求項２】
請求項１に記載のおむつカバーにおいて、
前記係着紐の少なくとも一部が、弾性力を有することを特徴とする
おむつカバー。
【請求項３】
請求項１又は２に記載のおむつカバーにおいて、
前記カバー本体の長手方向に沿った両側縁の少なくとも一部に、収縮部材が取り付けられていることを特徴とする
おむつカバー。
【請求項４】
請求項１〜３のいずれかに記載のおむつカバーにおいて、
前記係着紐の端部と、前記係止部とに、各々、面ファスナーの雌雄の組が取り付けられていることを特徴とする
おむつカバー。
【請求項５】
請求項１〜４のいずれかに記載のおむつカバーにおいて、
前記カバー本体の前記他端側に、前記係止部を折り返して被覆する被覆部を備えることを特徴とする
おむつカバー。
【考案の詳細な説明】
【技術分野】
【０００１】
本考案は、被着者のおむつを覆うおむつカバーに関し、特に、着脱の容易さ及び着用感に優れたおむつカバーに関する。
【背景技術】
【０００２】
おむつカバーは、肌に直接着用するおむつをカバーするものであり、介護用や高齢者用として用いられている。しかし、複雑な構造のため、身体を不自由にされている高齢者や、介護を必要とされている高齢者や、身体に障害を持たれている障害者にとっては、着脱が難しいという課題があった。そのため、着脱時の負担をできるだけ減らしたいというニーズが高い。
【０００３】
このような背景から、着脱が容易となることや着心地の向上を目的とする各種のおむつカバーが、従来から提案されている。
【０００４】
このような従来のおむつカバーとしては、例えば、本体布部と前垂れ布部とを有し、前記本体布部と前垂れ布部との間に腰部に巻回して固定する為の腰紐と、前記本体布部の両端部に固定した前記腰紐と挿通する為のループ片とを備えるものがある（特許文献１及び２参照）。また、被着者の腰を周回する部材としての腰廻り部を備え、当該腰廻り部の両端部内外面に、ベルベット式ファスナーを互いに係合するように附設するものもある（特許文献３参照）。
【先行技術文献】
【特許文献】
【０００５】
【特許文献１】特開２００６−９２２２号公報
【特許文献２】実用新案登録第３１２０６８２号公報
【特許文献３】実開昭５１−８１１３６号公報
【考案の概要】
【考案が解決しようとする課題】
【０００６】
従来のおむつカバーは、ループ片（牽引環）に腰紐（結び紐）を挿通して固定するものがあるが、身体を不自由にされている高齢者や、介護を必要とされている高齢者や、障害者が着用する場合には、着用時に都度、腰紐（結び紐）をループ片（牽引環）に挿通することに対して負担が大きいという課題があった。特に、寝たままの状態で着用するためには、身体の前面側にある腰紐（結び紐）を、見えない状態にある背面側のループ片（牽引環）に確実に通す必要があるため、着用時の操作が難しいという課題があった。
【０００７】
すなわち、従来のおむつカバーは、漏れを防ぐことや、ずれ防止を目的とする様々な部材（ボタンやベルベット式ファスナーなど）が付属して複雑な形状を呈しているため、寝たきりで介護の必要な方が利用する場合、特に寝たままの状態では着用は困難であった。さらに、それらの部材が被着者の肌を直接圧迫し、床ずれや痛みの原因にもなっていた。
【０００８】
本考案は前記課題を解決するためになされたものであり、身体の不自由な高齢者や介護されている高齢者や障害者にとって、特に寝たままの状態でも、着脱が容易に可能であり、快適な着用感が得られるおむつカバーの提供を目的とする。
【課題を解決するための手段】
【０００９】
本願に開示するおむつカバーは、長尺状の布地から成り、当該布地の一端を被着者の背面腰部位に位置させると共に、当該布地を被着者の脚間を通って前面腹部に巻回される他端とから形成されるカバー本体と、前記カバー本体の前記一端の両側に配設される係着用の係着紐と、前記カバー本体の前記他端の表側に前記係着紐を係止する係止部とを備えるものである。
【００１０】
このように、本願に開示するおむつカバーは、前記カバー本体の前記一端の両側に配設される係着用の係着紐と、前記カバー本体の前記他端の表側に前記係着紐を係止する係止部とを備えることから、被着者の背面腰部位の左右両側から伸びた係着紐が、被着者の前面腹部に位置する係止部に固定可能な状態になることとなり、高齢者や障害者が着用する場合であっても負担を掛けることなく、特に、寝たままの状態であっても起き上がる必要も無く、前記係止部でおむつカバーを簡易に固定することができる。
【００１１】
本願に開示するおむつカバーは、必要に応じて、前記係着紐の少なくとも一部が、弾性力を有するものである。このように、前記係着紐の少なくとも一部が、弾性力を有することから、前記係着紐を前記係止部に係止する際に、前記係着紐を余分な力で引っ張ることが抑制されることとなり、より簡易に、前記係止部でおむつカバーを固定することができる。
【００１２】
本願に開示するおむつカバーは、必要に応じて、前記カバー本体の長手方向に沿った両側縁の少なくとも一部に、収縮部材が取り付けられているものである。このように、前記カバー本体の長手方向に沿った両側縁の少なくとも一部に、収縮部材が取り付けられていることから、前記カバー本体が、被着者の脚間を通って前面腹部に巻回されることによって、被着者の脚間が収縮部材で覆われることから、被着者の脚間の股の付け根に接触する部分が収縮することとなり、被着者が着用した際の密着性が向上すると共に、当該巻回を容易に行うことができ、さらに、着用時に動き易くなることから良好な着心地を得ることができる。
【００１３】
本願に開示するおむつカバーは、必要に応じて、前記係着紐の端部と、前記係止部とに、各々、面ファスナーの雌雄の組が取り付けられているものである。このように、前記係着紐の端部と、前記係止部とに、各々、面ファスナーの雌雄の組が取り付けられていることから、腰紐（結び紐）をループ片（牽引環）に挿通するという煩わしい作業が不要となり、前記係着紐と前記係止部とが接触させることのみによって係止されることとなり、高齢者や障害者が着用する場合であっても負担を掛けることなく、特に、寝たままの状態であっても起き上がる必要も無く、前記係止部でおむつカバーをより簡易に固定することができる。
【００１４】
本願に開示するおむつカバーは、必要に応じて、前記カバー本体の前記他端側に、前記係止部を折り返して被覆する被覆部を備えるものである。このように、前記カバー本体の前記他端側に、前記係止部を折り返して被覆する被覆部を備えることから、一旦係止部により固定された前記係着紐が、前記被覆部によって被覆され、前記係着紐が外部に露出しない構成となることとなり、着用時に意図しない前記係着紐の取り外れが抑制されるとともに、着用時に前面から見た場合にすっきりとした良好な概観を呈することが可能となる。
【図面の簡単な説明】
【００１５】
【図１】本考案の第１の実施形態に係るおむつカバーの構成図及び本体カバーを折り返した使用状態の説明図を示す。
【図２】本考案の第１の実施形態に係るおむつカバーの着用時の説明図を示す。
【図３】本考案の第１の実施形態に係るおむつカバーの着用状態の説明図を示す。
【図４】本考案の第２の実施形態に係るおむつカバーの構成図及び本体カバーを折り返した使用状態の説明図を示す。
【図５】本考案の第３の実施形態に係るおむつカバーの本体カバーを折り返した使用状態の説明図を示す。
【図６】本考案の第４の実施形態に係るおむつカバーの本体カバーを折り返した使用状態の説明図を示す。
【図７】本考案の第５の実施形態に係るおむつカバーの本体カバーを折り返した使用状態の説明図を示す。
【考案を実施するための形態】
【００１６】
（第１の実施形態）
以下、第１の実施形態に係るおむつカバーを説明する。
【００１７】
第１の実施形態に係るおむつカバーは、図１（ａ）に示すように、長尺状の布地から成り、この布地の一端１１を被着者１００の背面腰部位に位置させると共に、この布地を被着者１００の脚間を通って前面腹部に巻回される布地の他端１２とから形成されるカバー本体１と、このカバー本体１のこの一端１１の両側に配設される係着用の係着紐２と、このカバー本体１のこの他端１２の表側にこの係着紐２を係止する係止部３とを備える構成である。
【００１８】
このカバー本体１は、晒（例えば、木綿から形成されるもの）とパイル地（タオル地）を重ねた生地によって形成することができる。重ねた生地の縫い代部分は、中表の要領で、被着1者の身体の外側になるように折り曲げて始末することによって、被着者の身体に直接触れないこととなり、寝たきりの状態の被着者が長時間着用した場合であっても、始末した部分の厚みの差による凸部で肌を傷めることが抑制される。
【００１９】
パイル地（タオル地）とは、縦糸の一部（パイル糸）を弛緩させることによって、布地にループ状の部分を形成したものである。このような構成によって、保温性、保湿性、及び吸水性が高められる。
【００２０】
パイル地（タオル地）は、一般に、表面が凹凸形状で形成されていることから、長時間、肌に直接接して擦れる場合には、被着者１００の皮膚を傷めるおそれがある。そのため、被着者１００の肌に直接触れる部分には、滑らかな質感の晒や平織生地（例えばガーゼ生地）を用いることが好ましい。
【００２１】
このように、このカバー本体１は、複数の生地を重ねて用いる場合には、吸水率が上がるという利点がある一方で、複数の生地を重ね過ぎた場合には、洗濯時に乾き難くなる。このようなことから、このカバー本体１は、晒、パイル地、晒の順に積層された３重積層構造で形成されることが好ましい。この３重積層構造で形成される場合には、吸水率が上がることから、万が一、被着者１００に尿漏れがあった場合にも安心して使用することができる。
【００２２】
また、このカバー本体１は、例えば、表地に上述したパイル地（タオル地）を用いると共に、裏地には平織（例えばガーゼ生地）を用いることもできる。この場合には、パイル地（タオル地）由来の優れた特性によって、保温性、保湿性、及び吸水性が高められると共に、被着者１００の肌に直接接する部分については、平織生地（例えばガーゼ生地）により形成されるため、パイル地（タオル地）よりも柔らかな質感の平織（例えばガーゼ生地）によって、被着者１００にとって良好な肌触りが得られ、快適な着心地が実現される。
【００２３】
すなわち、パイル地（タオル地）のような硬質な肌触りが身体の負担となる高齢者や障害者が着用する場合であっても、負担を掛けることなく、着用時の保温性、保湿性、及び吸水性が高められて、快適な着心地を得ることができる。
【００２４】
なお、このカバー本体１は、上述した素材に限定されるものではない。例えば、被着者１００の尿漏れを完全に防ぎたいというニーズに対しては、防水加工された生地を用いることも可能である。
【００２５】
この係着紐２は、その素材は特に限定されず、例えば、木綿やシルクなどの天然繊維や、ポリエステルやレーヨンなどの化学繊維を用いることができるが、肌触りの良さから、木綿などの天然繊維を用いることが好ましい。
【００２６】
この係止部３は、この係着紐２を係止するものであれば特に限定されず、例えば、ループ形状（輪形状）やフック形状とすることができる。
【００２７】
本実施形態に係る上記構成のおむつカバーは、図１（ａ）に示すように、カバー本体１のうち、布地の一端１１を被着者１００の背面腰部位に位置させると共に、布地の他端１２を被着者１００の脚間を通って前面腹部に巻回されて使用される。すなわち、図１（ｂ）に示すように、カバー本体１のうち、布地の他端１２が、被着者１００の前面となり、布地の一端１１が、被着者１００の背面となる。
【００２８】
このような構成によって、被着者１００の背面腰部位の左右両側から伸びた係着紐２が、被着者１００の前面腹部に位置する係止部３に固定可能な状態になることとなり、高齢者や障害者が着用する場合であっても負担を掛けることなく、特に、寝たままの状態であっても起き上がる必要も無く、係止部３でおむつカバーを簡易に固定することができる。
【００２９】
また、本実施形態に係る上記構成のおむつカバーは、図２に示すように、被着者１００がおむつ２００を着用した上で、カバー本体１のうち、布地の一端１１を被着者１００の背面腰部位に位置させると共に、布地の他端１２を被着者１００の脚間を通って前面腹部に巻回されて使用される。
【００３０】
この巻回の結果、図３に示すような着用状態が得られる。特に寝たきりの障害者や高齢者が使用する場合、ベッドやふとんの上におむつカバーを敷いて、その上に寝かせることによって、簡単に着衣させることが可能となる。また、介護者が被着者１００に着脱する際にも、着脱時に足を上げたり曲げたりしなくても良いことから、着脱時のストレスが軽減される。
【００３１】
なお、係着紐２は、被着者１００の前面で、単に紐を結んで固定してもよいし、両端部に面ファスナーを設けて、面ファスナーを接触させて固定してもよい。いずれの場合でも、被着者１００の背面ではなく前面で、係止することから、被着者１００にとっても、被着者１００を介護される方にとっても、容易に着脱することができる。
【００３２】
また、本実施形態に係るおむつカバーは、上述したように、簡素な構造を有することから、熟練した専門の技術者によらずとも、年齢を問わず誰でも簡単に作製可能であるという利点がある。また、必要な材料や製造工程も少ないことから、安価に製造することができる。
【００３３】
（第２の実施形態）
以下、第２の実施形態に係るおむつカバーを説明する。
【００３４】
第２の実施形態に係るおむつカバーは、上記の第１の実施形態に係るおむつカバーと同様に、前記カバー本体１と、前記係着紐２と、前記係止部３とを備え、さらに、図４（ａ）に示すように、前記係着紐２の少なくとも一部が、弾性力を有する弾性部材２ａから構成されるものである。
【００３５】
この弾性部材２ａは、弾性力を有するものであれば特に限定されず、例えば、ゴムやエラストマーから構成することができる。また、この弾性部材２ａは、係着紐２のうちの部分的に含まれていてもよく、係着紐２の全体に渡って含まれていてもよい。
【００３６】
このように、係着紐２の少なくとも一部が、弾性力を有することから、係着紐２を係止部３に係止する際に、係着紐２を余分な力で引っ張ることが抑制されることとなり、より簡易に、係止部３でおむつカバーを固定することができる。すなわち、係止の際や着用時にも邪魔にならず、且つ弾性を利用して簡単に留められることから、複雑な係止動作を必要とせず、身体の不自由な障害者や高齢者の使用に最適となる。
【００３７】
（第３の実施形態）
以下、第３の実施形態に係るおむつカバーを説明する。
【００３８】
第３の実施形態に係るおむつカバーは、上記の第１の実施形態に係るおむつカバーと同様に、前記カバー本体１と、前記係着紐２と、前記係止部３とを備え、さらに、図５（ａ）に示すように、前記カバー本体１の長手方向に沿った両側縁１３の少なくとも一部に、収縮部材１３ａが取り付けられて構成されるものである。
【００３９】
この収縮部材１３ａは、弾性力を有する弾性体であれば特に限定されず、例えば、ゴムやエラストマーを用いることができる。また、図５（ｂ）に示すように、この収縮部材１３ａは、前記両側縁１３の全体に渡って取り付けられていてもよい。
【００４０】
このように、前記カバー本体１の長手方向に沿った両側縁の少なくとも一部に、収縮部材が取り付けられていることから、前記カバー本体１が、被着者１００の脚間を通って前面腹部に巻回されることによって、被着者の脚間が収縮部材で覆われることから、被着者１００の脚間の股の付け根に接触する部分が収縮することとなり、被着者１００が着用した際の密着性が向上すると共に、この巻回を円滑に行うことができ、さらに、着用時に動き易くなることから良好な着心地を得ることができる。
【００４１】
なお、第３の実施形態に係るおむつカバーは、上記の第１の実施形態に係るおむつカバーについて、収縮部材１３ａを取り付けた構成としたが、上記の第２の実施形態に係るおむつカバーに対して、上記の収縮部材１３ａを取り付ける構成とすることも可能である。
【００４２】
（第４の実施形態）
以下、第４の実施形態に係るおむつカバーを説明する。
【００４３】
第４の実施形態に係るおむつカバーは、上記の第１の実施形態に係るおむつカバーと同様に、前記カバー本体１と、前記係着紐２と、前記係止部３とを備え、さらに、図６に示すように、前記係着紐２の端部と、前記係止部３とに、各々、面ファスナーの雌雄の組が取り付けられて構成されるものである。
【００４４】
このように、係着紐２の端部と、係止部３とに、各々、面ファスナーの雌雄の組が取り付けられていることから、腰紐（結び紐）をループ片（牽引環）に挿通するという作業が不要となり、係着紐２と係止部３とが接触させることのみによって係止されることとなり、高齢者や障害者が着用する場合であっても負担を掛けることなく、特に、寝たままの状態であっても起き上がる必要も無く、前記係止部でおむつカバーをより簡易に固定することができる。
【００４５】
なお、本実施形態に係るおむつカバーは、上記構成に限定されず、第２又は第３の実施形態に係るおむつカバーに対して、前記係着紐２の端部と、前記係止部３とに、各々、面ファスナーの雌雄の組を取り付けることによって、適用することも可能である。
【００４６】
（第５の実施形態）
以下、第５の実施形態に係るおむつカバーを説明する。
【００４７】
第５の実施形態に係るおむつカバーは、上記の第４の実施形態に係るおむつカバーと同様に、前記カバー本体１と、前記係着紐２と、前記係止部３とを備え、さらに、図７に示すように、前記カバー本体１の前記他端側１２に、前記係止部３を折り返して被覆する被覆部１２ａを備えて構成されるものである。
【００４８】
このように、前記カバー本体１の他端側１２に、係止部３を折り返して被覆する被覆部１２ａを備えることから、一旦係止部３により固定された係着紐２が、被覆部１２ａによって被覆され、係着紐２が外部に露出しない構成となることとなり、着用時に意図しない係着紐２の取り外れが抑制されるとともに、着用時に前面から見た場合にすっきりとした良好な概観を呈することが可能となる。
【００４９】
また、この被覆部１２ａによって、係着紐２が外部から隠蔽されることによって、係着紐２に含まれる面ファスナーが被着者１００の肌に直接接触することが防止されることから、被着者１００が面ファスナーの凹凸形状を原因とした痛みを感じることが解消されることとなり、より快適な着心地を実現することができる。
【００５０】
なお、本実施形態に係るおむつカバーは、上記構成に限定されず、第１〜第３のいずれかの実施形態に係るおむつカバーに対しても、前記カバー本体１の前記他端側１２に、前記係止部３を折り返して被覆する被覆部１２ａを備えることによって、適用することも可能である。
【符号の説明】
【００５１】
１  カバー本体
１１  布地の一端
１２  布地の他端
１２ａ  被覆部
１３  布地の両側縁
１３ａ  収縮部材
２  係着紐
２ａ  弾性部材
２１  端部
３  係止部
１００  被着者
２００  おむつ
【図１】
0003201201.tif 000003
【図２】
0003201201.tif 000004
【図３】
0003201201.tif 000005
【図４】
0003201201.tif 000006
【図５】
0003201201.tif 000007
【図６】
0003201201.tif 000008
【図７】
0003201201.tif 000009